【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
第１のネットワーク、無線ネットワーク、及び少なくとも１つの無線通信装置を含む通信システムの不要なパケットのフィルタリングのための方法であって：
パケットフィルタにおいて：
ブロックリストにエントリを加えるために、無線通信装置から命令を受信するステップであって、前記エントリはブロック基準を含む、ステップと；
前記第１のネットワークから第１のパケットを受信するステップであって、前記第１のパケットは前記無線通信装置に向けられた、ステップと；
前記第１のパケットが前記ブロックリストに含まれるブロック基準を表しているか否かを判断するステップと；
前記第１のパケットが、前記ブロックリストに含まれるブロック基準を表すとの判断に応答して、前記第１のパケットが前記無線ネットワークにより配信されることができる前に前記第１のパケットを破棄するステップと；
前記無線通信装置から、自動的に生成されたアンブロック要求を受信するステップであって、前記アンブロック要求は、
前記パケットフィルタによって以前にブロックされていたポートを新たなアプリケーションが利用していること、及び、
前記以前のブロックされたポート
を示す、ステップと；
前記アンブロック要求に応答して、前記以前にブロックされたポートへ向けられた後続のパケットを転送するステップと；
を有する方法。
【請求項２】
前記ブロックリストに含まれる前記ブロック基準は、宛先伝送制御プロトコル（ＴＣＰ）ポート、宛て先ユーザ・データグラム・プロトコル（ＵＤＰ）ポート、発信元ＴＣＰポート、発信元ＵＤＰポート、発信元インターネットプロトコル（ＩＰ）アドレス、及びＩＰアドレスの範囲のうちの少なくとも１つを含む、
請求項１記載の方法。
【請求項３】
前記第１のパケットが、前記ブロックリストに含まれるブロック基準を表していないとの判断に応答して、
当該方法は、
前記第１のパケットを前記無線通信装置に前記無線ネットワークを介して転送するステップ、
を更に有する請求項１記載の方法。
【請求項４】
前記第１のパケットによって表される前記ブロック基準を前記ブロックリストに加えるステップと；
前記無線ネットワークにより配信されないよう、前記第１のパケットにより表される同じ前記基準を有する次に受信されたパケットをブロックするステップと；
を更に有する請求項３記載の方法。
【請求項５】
前記無線通信装置が、
少なくとも１つのパケットを受信するステップと；
前記少なくとも１つのパケットが、以前にインストールされたアプリケーションによって利用されたポートに向けられたものであるか否かを判断するステップであって、前記以前にインストールされたアプリケーションが現在前記無線通信装置において実行されている、ステップと；
前記少なくとも１つのパケットが、以前にインストールされたアプリケーションによって利用されたポートに向けられていないとの判断に応答して、ブロック要求を生成するステップと；
を実行することにより前記ブロック要求を生成する、請求項４記載の方法。
【請求項６】
前記少なくとも１つのパケットが、以前にインストールされたアプリケーションによって利用されたポートに向けられたものであるか否かを判断するステップは、
ポート割当のためのプロトコルスタックをチェックするステップ、
を含む、請求項５記載の方法。
【請求項７】
前記ブロック要求を生成する前に、
前記以前にインストールされたアプリケーションによって利用されている前記ポートに向けられた所定の量のパケットを受信するステップ、
を更に有する、請求項５記載の方法。
【請求項８】
前記ブロックリストは、前記少なくとも１つの無線通信装置によってプログラマブルである、
請求項１記載の方法。
【請求項９】
通信システムにおける不必要なパケットをフィルタリングするためのプログラマブルパケットフィルタであって、前記通信システムは、第１のネットワーク、無線ネットワーク、及び少なくとも1つの無線通信装置を有し、当該プログラマブルパケットフィルタは、少なくとも１つの通信インタフェースを有し、前記通信インタフェースは、
ブロックリストにエントリを加えるよう無線通信装置から命令を受信し、前記エントリは、ブロック基準を含み、
前記第１のネットワークを介して配信された第１のパケットを受信し、前記第１のパケットは、前記無線通信装置に向けられたものであり、かつ、
当該プログラマブルパケットフィルタは、
前記少なくとも１つの通信インタフェースに電気的に結合されたフィルタモジュールを含み、前記フィルタモジュールは、
前記第１のパケットが前記ブロックリストに含まれる前記ブロック基準を表しているか否かを判断し、かつ、
前記第１のパケットが前記ブロックリストに含まれる前記ブロック基準を表していることの判断に応答して、前記第１のパケットが前記無線ネットワークにより配信されることができる前に前記第１のパケットを破棄し、
前記無線通信装置から、自動的に生成されたアンブロック要求を受信し、前記アンブロック要求は、
前記パケットフィルタによって以前にブロックされたポートを新たなアプリケーションが利用していること、及び
前記以前のブロックされたポート、
を示し；
前記アンブロック要求に応答して、前記以前にブロックされたポートへ向けられた後続のパケットを転送する；
プログラマブルパケットフィルタ。
【請求項１０】
当該プログラマブルパケットフィルタは、前記第１のネットワークと前記無線ネットワークとの間で電気的に結合されている、
請求項９記載のプログラマブルパケットフィルタ。
【請求項１１】
前記ブロックリストに含まれる前記ブロック基準は、宛先伝送制御プロトコル（ＴＣＰ）ポート、宛て先ユーザ・データグラム・プロトコル（ＵＤＰ）ポート、発信元ＴＣＰポート、発信元ＵＤＰポート、発信元インターネットプロトコル（ＩＰ）アドレス、及びＩＰアドレスの範囲のうちの少なくとも１つを含む、
請求項１０記載のプログラマブルパケットフィルタ。
【請求項１２】
前記第１のパケットが、前記ブロックリストに含まれる前記ブロック基準を表していないとの判断に応答して、前記通信インタフェースは、更に、前記第１のパケットを前記無線通信装置に前記無線ネットワークを介して転送する、
請求項１１記載のプログラマブルパケットフィルタ。
【請求項１３】
前記フィルタモジュールは、
前記第１のパケットによって表される前記ブロック基準を前記ブロックリストに加え；かつ、
前記無線ネットワークにより配信されないよう、前記第１のパケットにより表される同じ前記基準を有する次に受信されたパケットをブロックする；
請求項１２記載のプログラマブルパケットフィルタ。
【請求項１４】
前記ブロックリストは、少なくとも１つの無線通信装置からの命令の受信に基づいて、プログラマブルである、
請求項９記載のプログラマブルパケットフィルタ。
【請求項１５】
通信システムにおいて利用するための無線通信装置であって、前記通信システムは、第１のネットワーク、パケットフィルタ、及び無線ネットワークを含み、当該無線通信装置は、
複数の論理ポートと；
１つの前記論理ポートを介して少なくとも１つのパケットを受信するトランシーバであって、前記少なくとも１つのパケットは、前記第１のネットワークから送信されたものである、トランシーバと；
前記トランシーバに電気的に結合されたフィルタモジュールであって、前記フィルタモジュールは、前記少なくとも１つのパケットが、以前にインストールされたアプリケーションによって利用された論理ポートに向けられたものであるか否かを判断し、前記以前にインストールされたアプリケーションが現在前記無線通信装置において実行されている、フィルタモジュールと；
を有し、かつ、
前記少なくとも１つのパケットが、以前にインストールされたアプリケーションによって利用された論理ポートに向けられていないとの前記判断に応答して、
ブロック要求を生成し、前記ブロック要求は、ブロックされるべきポートを示し、かつ、
前記パケットフィルタが前記示されたポートをブロックするよう、前記パケットフィルタに前記ブロック要求が転送されるようにし、
以前にブロックされたポートを利用する新たなアプリケーションに応答して、自動的に生成されたアンブロック要求を、前記パケットフィルタに送信し、前記アンブロック要求は、前記以前にブロックされたポートを示す、
無線通信装置。
【請求項１６】
前記トランシーバは、更に、前記パケットフィルタに前記ブロック要求を送ることによって、前記パケットフィルタをプログラムする、
請求項１５記載の無線通信装置。
【請求項１７】
以前にインストールされたアプリケーションに対するポート割当を含むプロトコルスタック；
を更に有し、
前記フィルタモジュールは、ポート割当に対する前記プロトコルスタックをチェックすることによって、前記少なくとも１つのパケットが以前にインストールされたアプリケーションによって利用されたポートに向けられているか否かを判断する、  
請求項１５記載の無線通信装置。
【請求項１８】
以前にブロックされたポートを利用している新たに実行されたアプリケーションを更に有し、
前記フィルタモジュールは、更に、前記以前にブロックされたポートを削除するために、アンブロック要求を生成し、
前記トランシーバは、更に、前記アンブロック要求を前記パケットフィルタに送信する、
請求項１７記載の無線通信装置。
【請求項１９】
前記フィルタモジュールは、プラグインである、請求項１５記載の無線通信装置。